(57)【要約】      （修正有）【課題】携帯用音響機器における使用後のイヤホンとコードの後始末と、絡みを防止し、迅速な収納と再使用のできるイヤホンコード用クリップ付携帯用音響機器保護カバーを提供する。【解決手段】順次開口したコード挿入案内部５に隣設して、コード挟止保持溝帯６を設けることにより、両挟止片３内側に対面する保護カバー１の外側一部面との間に、コード脱落防止突設帯７と、コード挿入小隙間８が構成された保護カバー１のクリップ本体２を、一体成形したクリップ付保護カバー１３を、機器１２の操作面の裏面になるよう被せ装着し、使用後のイヤホン１０、コード９を保護カバー１３に巻き付けてイヤホン１０近傍に近づいたら、コード９をコード挿入案内部５より挿入、次にコード挟止保持溝帯６に挿入すれば、保護カバー１との間に挟止片３内側に設けられたコード脱落防止突設帯７で、コード９は脱落を阻止され収納される。【選択図】図４
0003162564.tif 000002
【実用新案登録請求の範囲】
【請求項１】
携帯用音響機器保護カバー１外側の一部面に沿って設けた、クリップ本体２の挟止片３を支える支持台部４底面で保護カバー１の外側一部適した位置に融設し、保護カバー１とクリップ本体２を一体成形した挟止片３を支える支持台部４に設けた該支持部台に対向する挟止片３内側先端、端縁又はその左右側面端縁に向かって上方に弧を描き、又は反らせて順次開口したコード挿入案内部５を設けた、該コード挿入案内部５に、コード挟止保持溝帯６を隣設した事により、挟止片３内側と対面する保護カバー１外側一部面との間に、コード脱落防止突設帯７と、コード挿入小隙間８が構成された事を特徴とした、イヤホンコード用クリップ付保護カバー。
【考案の詳細な説明】
【技術分野】
【０００１】
本考案は、携帯用音響機器の保護カバーとクリップを一体成形して設けたイヤホンコード用クリップに関するものである。
【背景技術】
【０００２】
携帯用音響機器でイヤホン使用後は、機器に巻き付けるか、コードをコード巻き取り器で収納するか、ジャックを抜きイヤホンとコードを手で丸めてポケット、カバン等に収納していたのが実情である。
【考案の開示】
【考案が解決しようとする課題】
【０００３】
そのため、機器にコードを巻き付けるか、ジャックを抜きコード巻き取り器で収納するには時間のロス、更にコードとイヤホンを手で丸めてポケット、カバン等に入れて収納していたが、それらは共にコードとイヤホンが少なからず傷つき、又絡み合って解かねばならない不都合が生じていた。そこで前述の問題点を解決しようとするものである。
【課題を解決するための手段】
【０００４】
本考案は柔軟性あるシリコンゴム、ゴム、合成ゴム等適宜素材で成形した携帯用音響機器保護カバーに、クリップ本体の挟止片を支える支持台部を中心に、左右対称に両挟止片を設けた挟止片内側各両先端、端縁に、又はその左右側面端縁に向かって弧を描き、又は反らせて順次上方に向かって開口したコード挿入案内部に隣設した半円形状のコード挟止保持溝帯を設け、保護カバー外側に両挟止片を除く支持台部底面と、映像窓孔対面外側面の左右側面、又は上、下端部等、一部適した位置に融設一体成形することにより、両挟止片内側にコード脱落防止帯が保護カバー外側一部面と対面する挟止片内側との間に構成された、略封筒状のクリップ付保護カバーを、クリップが機器操作部裏面になるよう被せ装着し、使用後のイヤホンコードを機器に装着された保護カバーの上より巻き、イヤホン近傍に近づいたら、コード挿入案内部より挿入、次にコード挟止保持溝帯に挿入し、上記手順で左右に設けた両コード挟止保持溝帯に挿入すれば、保護カバーとの間に構成されたコード脱落防止突設帯で挟止保持されたコードは、クリップ本体より脱落することなくすばやく収納され、そのままポケット、カバン等にいれてもイヤホンとコードの絡みもなく、又再使用時はクリップ本体よりコードを解き放し、指でコードを摘み機器後方より軽く引けば、すばやく巻き戻されて再使用が出来ることにより課題を解決している。
【考案の効果】
【０００５】
上記のように、本考案は柔軟性ある略封筒状のクリップ付保護カバーを、クリップが携帯用音響機器操作部裏面になるよう被せ装着し、使用後のイヤホンコードを保護カバーに巻き付けてイヤホン近傍に近づいたら、保護カバーと一体的に設けられた、全体視スマートなクリップ本体両挟止片に確実に挟止保持されることにより、迅速な収納と再使用が得られると共に、保護カバーとクリップが一体的に構成されているため、コード収納具と保護カバーを別々に買い求める必要も無く、又柔軟性を有するクリップ本体両挟止片でコードを傷から守る等の利益が得られる。
【考案の実施するための最良の形態】
【０００６】
以下添付図面に従って一実施例を説明する。
１はシリコンゴム、ゴム、合成ゴム、プラスッチク等適宜素材で設けられた略封筒状の一部に、映像窓孔を設けた携帯用音響機器保護カバー。
２はクリップ本体。
３は保護カバー外側一部面に沿って設けた同左右挟止片。
４は同左右挟止片を支える支持台部。
５は同左右挟止片内側支持台部に対し、各反対側の先端、端縁又はその左右側面端縁に向かって弧を描き、又は反らせて順次上方に向かって開口したコード挿入案内部。
６はコード挿入案内部に隣設した半円形状又は逆V字形状のコード挟止保持溝帯。
７はコード挿入案内部とコード挟止保持溝帯との間に構成されたコード脱落防止突設帯。
８はコード脱落防止突設帯と、保護カバー外側一部面に対面して設けられたコード挿入小隙間。
９はコード。
１０はイヤホン。
１１はジャック。
１２は携帯用音響機器。
１３は映像窓孔反対面外側に、クリップ本体左右両挟止片を支える支持台部底面と、保護カバーの外側面一部左右端部及び上、下端部又は中央部等適した位置に、図１又は図６に示すように融設一体成形した、略封筒状のクリップ付保護カバー。
１４は映像窓孔。
【実施例】
【０００７】
以下添付図面に従って一実施例を説明する。
図４参考斜視図に示すように、略封筒状のクリップ付保護カバー１３をクリップ本体２が、携帯用音響機器１２操作部の裏面になるよう被せ装着して、コード９、イヤホン１０の使用後はクリップ付保護カバー１３にコード９を巻き付けて、イヤホン１０近傍に近づいたら、クリップ本体２、左右の挟止片３の右挟止片３に設けられたコード挿入案内部５に導き挿入し、次にコード挿入小隙間８を経てコード挟止保持溝帯６に挿入保持すれば、コード脱落防止突設帯７を設けた、両挟止片３内側に対面する保護カバー１３外側一部面との間に設けられたコード挿入小隙間８で、コードの脱落が防がれ、次にコード挟止保持溝帯６で保持収納されたコード９は、更にもう一方の同じ構成の左挟止片３に、同じ手順でコード９を、コード挟止保持溝帯６に挿入保持出来るので、確実に保持された状態で充電も出来、又そのままポケット、カバン等にいれてもイヤホン１０、コード９の絡みもなく、しかも柔軟性素材で出来ているため傷も付きにくく、イヤホン１０、コード９の収納と再使用が迅速に出来、機器保護カバーとコード収納具を別々に購入しなくても良い利点がある。
【図面の簡単な説明】
【０００８】
【図１】本考案クリップ付保護カバーの一実施例を示す斜視図である。
【図２】図１AーA’線矢印方向より見た拡大断面図。
【図３】同側面図。
【図４】一実施例を示す参考斜視図。
【図５】同映像窓孔を示す斜視図。
【図６】同別形態の一実施例を示す参考斜視図である。
【符号の説明】
【０００９】
１  略封筒状の一部に映像窓孔を設けた携帯用音響機器保護カバー
２  クリップ本体
３  挟止片
４  支持台部
５  コード挿入案内部
６  コード挟止保持溝帯
７  コード脱落防止突設帯
８  コード挿入小隙間
９  コード
１０  イヤホン
１１  ジャック
１２  携帯用音響機器
１３  略封筒状の一部に映像窓孔を設けたクリップと、保護カバーを一体成形したクリップ付保護カバー
１４  映像窓孔
【図１】
0003162564.tif 000003
【図２】
0003162564.tif 000004
【図３】
0003162564.tif 000005
【図４】
0003162564.tif 000006
【図５】
0003162564.tif 000007
【図６】
0003162564.tif 000008